(57)【特許請求の範囲】
【請求項１】
ａ）１００℃における動粘度が４．５〜５．５ｍｍ２／ｓのＧＴＬ基油と、
ｂ）櫛形ＰＭＡ（ポリメタクリレート）系粘度指数向上剤と、
ｃ）ホウ素含有分散剤及び／又はホウ素含有清浄剤と
を含有し、
ｄ）ホウ素含有分散剤及び／又はホウ素含有清浄剤は、その合計の含有量が、ホウ素含有換算値で組成物全量に対して０．０２７質量％以上、０．１質量％以下であり、
ｅ）ＳＡＥ  Ｊ３００規定で０Ｗ−３０又は５Ｗ−３０を満たす
ことを特徴とする、ディーゼルエンジン用潤滑油組成物（但し、窒素量が、前記組成物の全質量を基準として、０．１２質量％未満であるものを除く）。
【請求項２】
ａ）１００℃における動粘度が４．５〜５．５ｍｍ２／ｓのＧＴＬ基油（エステルを除く）と、
ｂ）櫛形ＰＭＡ（ポリメタクリレート）系粘度指数向上剤と、
ｃ）ホウ素含有分散剤及び／又はホウ素含有清浄剤と
を含有し、
ｄ）ホウ素含有分散剤及び／又はホウ素含有清浄剤は、その合計の含有量が、ホウ素含有換算値で組成物全量に対して０．０２７質量％以上、０．１質量％以下であり、
ｅ）ＳＡＥ  Ｊ３００規定で０Ｗ−３０又は５Ｗ−３０を満たす
ことを特徴とする、ディーゼルエンジン用潤滑油組成物（但し、窒素量が、前記組成物の全質量を基準として、０．１２質量％未満であるものを除く）。
【請求項３】
ｅ）非櫛形ＰＭＡ（ポリメタクリレート）系粘度指数向上剤、ＳＣＰ（スチレンジエンコポリマー）系粘度指数向上剤及び／又はＯＣＰ（オレフィンコポリマー）系粘度指数向上剤を含み、且つ、次の（１）〜（３）の少なくともいずれか一つを満たす、請求項１又は２記載のディーゼルエンジン用潤滑油組成物。
（１）非櫛形ＰＭＡ系粘度指数向上剤含有量／全体の粘度指数向上剤含有量：０．７以下
（２）ＯＣＰ系粘度指数向上剤含有量／全体の粘度指数向上剤含有量：０．２以下
（３）ＳＣＰ系粘度指数向上剤含有量／全体の粘度指数向上剤含有量：０．３以下
【請求項４】
ｆ）次の粘度特性を満たす、請求項１〜３のいずれか一項記載のディーゼルエンジン用潤滑油組成物。
（ＨＴＨＳ１００℃粘度（ｃａｐｉｌｌａｒｙ法）−ＨＴＨＳ１００℃粘度（ＴＢＳ法））／ＨＴＨＳ１００℃粘度（ＴＢＳ法）:０．０７〜０．１５
【発明の詳細な説明】
【技術分野】
【０００１】
本発明は、自動車用エンジンオイル（内燃機関用潤滑油組成物）に関し、より詳しくは、燃費性能、オイル消費抑制および清浄性に優れたディーゼルエンジン用潤滑油組成物に関する。
【背景技術】
【０００２】
クランクケース潤滑油による問題は、いわゆるブローバイガスにより潤滑油がクランクケースから逃げ易いことである。ブローバイガス、あるいは、このようなガス／潤滑油混合物は、大気に排出するよりもむしろ、エンジンに再循環する方が好ましい。幾つかのエンジンではこのような再循環は、潤滑油がピストン室内で燃焼するように、ブローバイガスをエンジンの空気取入システムに注入して行なわれる。ブローバイガスの再循環は放出物の問題を解決するが、一方で、空気取入システムに沈着物が生成するといった問題が生じる可能性がある。例えば空気圧縮器に沈着物が生成すれば、このような圧縮器は、うまく作用せず、更には損傷を受け易い。また例えば圧縮器とシリンダーブロック−クランクケース間に空気冷却器が存在すれば、空気冷却器の汚染も起こる可能性がある。このような沈着物の形成を防止するか、更に減少させるディーゼルエンジンシステムを提供することがのぞまれてきている。（特許文献１）
【０００３】
一方で、低燃費性能が求められる。低燃費性能を実現するためには、摩擦低減性能に寄与する摩擦調整剤を使用すること、また、撹拌抵抗の低減を図り、低温では低い粘度を持ち、高温では油膜を確保するため粘度指数向上剤を使用して適正な粘度特性を持つ組成物に調製することが検討されてきている。（特許文献２）
【先行技術文献】
【特許文献】
【０００４】
【特許文献１】特許５５０１６２０号公報
【特許文献２】特開２０１４−２１０８４４号公報
【発明の概要】
【発明が解決しようとする課題】
【０００５】
しかしながら、沈着物の形成を抑制し、省燃費性能を示し、更にはその性能を長期に維持することは未だ十分に満足の得られるものは無い。また、今後はディーゼルエンジンを搭載した商用車等においてもダウンサイジング高過給化はますます進むと考えられ、エンジン油にかかる熱負荷も大きくなると予想されるが、従来の潤滑油組成物においては、優れた蒸発性が得られない等の問題あった。
【０００６】
そこで、本発明は、自動車用エンジンオイルにおいて、優れた蒸発性とエンジン清浄性能及び省燃費性能のあるディーゼルエンジン用潤滑油組成物を提供することを課題とする。
【課題を解決するための手段】
【０００７】
本発明者らが鋭意研究を行った結果、特定の基油と、特定の粘度指数向上剤と、特定の分散剤及び清浄剤とを配合し、且つ、特定の粘度グレードを満たすことにより、上記課題を解決可能なことを見出し、本発明を完成させた。即ち、本発明は以下の通りである。
【０００８】
本発明（Ｉ）は、
ａ）１００℃における動粘度が４．５〜５．５ｍｍ２／ｓのＧＴＬ基油と、
ｂ）櫛形ＰＭＡ（ポリメタクリレート）系粘度指数向上剤と、
ｃ）ホウ素含有換算値（合計値）で組成物全量に対して０．０２５質量％以上のホウ素含有分散剤及び／又はホウ素含有清浄剤と
を含有し、
ｄ）ＳＡＥ  Ｊ３００規定で０Ｗ−３０又は５Ｗ−３０を満たす
ことを特徴とする、ディーゼルエンジン用潤滑油組成物である。
本発明（ＩＩ）は、
ｅ）非櫛形ＰＭＡ（ポリメタクリレート）系粘度指数向上剤、ＳＣＰ（スチレンジエンコポリマー）系粘度指数向上剤及び／又はＯＣＰ（オレフィンコポリマー）系粘度指数向上剤を含み、且つ、希釈剤抜きのポリマー量として、次の（１）〜（３）の少なくともいずれか一つを満たす、前記発明（Ｉ）のディーゼルエンジン用潤滑油組成物である。
（１）非櫛形ＰＭＡ系粘度指数向上剤含有量／全体の粘度指数向上剤（重量平均分子量が５万以上となるポリマー）含有量：０．７以下
（２）ＯＣＰ系粘度指数向上剤含有量／全体の粘度指数向上剤（重量平均分子量が５万以上となるポリマー）含有量：０．２以下
（３）ＳＣＰ系粘度指数向上剤含有量／全体の粘度指数向上剤（重量平均分子量が５万以上となるポリマー）含有量：０．３以下
本発明（ＩＩＩ）は、
ｆ）次の粘度特性を満たす、前記発明（Ｉ）又は（ＩＩ）のディーゼルエンジン用潤滑油組成物である。
（ＨＴＨＳ１００℃粘度（ｃａｐｉｌｌａｒｙ法）−ＨＴＨＳ１００℃粘度（ＴＢＳ法））／ＨＴＨＳ１００℃粘度（ＴＢＳ法）:０．０７〜０．１５
【発明の効果】
【０００９】
本発明によれば、自動車用エンジンオイルにおいて、優れた蒸発性とエンジン清浄性能及び省燃費性能のあるディーゼルエンジン用潤滑油組成物を提供することが可能となる。
【発明を実施するための形態】
【００１０】
以下、本発明に係るディーゼルエンジン用潤滑油組成物の、成分（構成要素）、組成（成分の含有量）、物性について詳述するが、本発明はこれらには何ら限定されない。
【００１１】
≪成分≫
本形態に係る潤滑油組成物は、基油としてＧＴＬ基油と、櫛形ＰＭＡ系粘度指数向上剤と、ホウ素含有分散剤及び／又はホウ素含有清浄剤と、必要に応じてその他の成分と、を含有する。
【００１２】
（基油）
本形態に係る潤滑油組成物の基油として、天然ガスの液体燃料化技術のフィッシャートロプッシュ法により合成されたＧＴＬ（ガストゥリキッド）の油が用いられる。このような基油を用いることで、本発明の系においては、酸化安定性を向上させると共に、蒸発損失を低減させることが可能となる。
【００１３】
櫛形ポリマーを使用した場合に、Ｙｕｂａｓｅ基油と比較して、特に本発明の系において、ＧＴＬ基油を用いることで１００℃での一時的せん断粘度が低下する等して、燃費の向上に寄与し得る。
【００１４】
特に、本発明においては、１００℃における動粘度が、４．５〜５．５ｍｍ２／ｓであるＧＴＬ基油を用いている。基油の１００℃における動粘度が４．５を下回ると十分な蒸発性が得られない。また、１００℃における動粘度が５．５を超えると十分な燃費性能が得られない。
【００１５】
ここで、１００℃における動粘度が４．５〜５．５ｍｍ２／ｓである基油を得るためには、１００℃における動粘度が４．５〜５．５ｍｍ２／ｓである単一のＧＴＬ基油が好ましいが、調製する場合、１００℃における動粘度が３．０〜６．０ｍｍ２／ｓであるＧＴＬ基油（ａ１）と、１００℃動粘度が７．０〜１３ｍｍ２／ｓであるＧＴＬ基油（ａ２）と、の２種を混合することが好適である。低粘度基油成分（ａ１）の１００℃動粘度が３．０ｍｍ２／ｓ未満であると、蒸発量が増え、長期にわたる組成物の粘度維持が困難になる。また高粘度基油成分（ａ２）の１００℃動粘度が１３ｍｍ２／ｓを超えたものを使用すると低温−４０℃での粘度が高くなり、低温時の始動性が悪くなる。更にこの場合、混合したＧＴＬ基油の粘度指数は１２０〜１８０が好適であり、１２０〜１５０がより好適である。
【００１６】
これらＧＴＬ基油は、通例全硫黄分は１０ｐｐｍ未満が好適であり、全窒素分１ｐｐｍ未満がより好適である。そのようなＧＴＬ基油商品の一例として、ＳＨＥＬＬ  ＸＨＶＩ（登録商標）がある。
【００１７】
（清浄剤）
本形態に係る潤滑油組成物は、清浄剤としてホウ素含有清浄剤を含んでいてもよい。ホウ素含有清浄剤としては、特に限定されないが、ホウ酸含有のアルカリ土類金属塩が挙げられ、より具体的には、ホウ酸化アルカリ土類金属アルキルサリシレート清浄剤やホウ酸化アルカリ土類金属アルキルトルエンスルホネート清浄剤が挙げられ、ホウ酸カルシウムアルキルトルエンスルホネートであることが好適である。なお、このようなホウ素含有清浄剤としては、公知のものを用いればよい（例えば、ホウ酸化アルカリ土類金属アルキルトルエンスルホネート清浄剤は、特開２００８−２９７５４７に記載された方法に従って製造可能である）。
【００１８】
ここで、本形態に係る潤滑油組成物は、本発明の効果を阻害しない範囲で、その他の清浄剤（例えば、金属系清浄剤）を含んでいてもよい。金属系清浄剤としては、例えば、アルカリ土類金属スルホネート、アルカリ土類金属フェネート、アルカリ土類金属サリシレート、アルカリ土類金属ナフテネート等を挙げることができる。このアルカリ土類金属としては、カルシウム、マグネシウムが挙げられる。これらは単独で或いは二種類以上を組み合わせて使用することができる。通常、カルシウム又はマグネシウムのスルホネート、フェネート、サリシレートが好ましく用いられる。アルカリ土類金属フェネートとしては、炭素数４〜３０、好ましくは６〜１８の直鎖状又は分枝のアルキル基を有するアルキルフェノール、アルキルフェノールサルファイド、アルキルフェノールのマンニッヒ反応物のアルカリ土類金属塩、特にカルシウム塩が好ましく用いられる。アルカリ土類サリシレートとしては、炭素数１〜３０、好ましくは６〜１８の直鎖又は分枝のアルキル基を有するアルキルサルチル酸のアルカリ土類金属塩、特に好ましくはマグネシウム塩及び／又はカルシウム塩が好ましく用いられる。尚、これらの塩基価は適応する潤滑油の種類、目的によって任意に選ぶことができる。
【００１９】
（分散剤）
本形態に係る潤滑油組成物は、分散剤として、ホウ素含有分散剤を含んでいてもよい。ホウ素含有分散剤は、例えば、ポリブテニルコハク酸イミド系、ポリブテニルコハク酸アミド系、ベンジルアミン系、コハク酸エステル系等の分散剤がホウ素化されたものである。
【００２０】
ポリブテニルコハク酸イミドは、高純度イソブテン或いは１−ブテンとイソブテンの混合物をフッ化ホウ素系触媒或いは塩化アルミニウム系触媒で重合させて得られるポリブテンから得られるものであり、ポリブテン末端にビニリデン構造を有するものが通常５〜１００ｍｏｌ%含有される。尚、ポリアルキレンポリアミン鎖には優れたスラッジ抑制効果を得る観点から２〜５個、特には３〜４個の窒素原子を含むものが好ましい。またポリブテニルコハク酸イミドの誘導体としては、上記ポリブテニルコハク酸イミドにホウ酸等のホウ酸化合物やアルコール、アルデヒド、ケトン、アルキルフェノール、環状カーボネ−ト、有機酸等の含酸素有機化合物を作用させて、残存するアミノ基及び／又はイミノ基の一部又は全部を中和又はアミド化した、いわゆる変性コハク酸イミドとして用いることができる。
【００２１】
なお、本形態に係る潤滑油組成物は、上述したホウ素含有清浄剤及びホウ素含有分散剤のいずれか一つを少なくとも含むものであればよく、ホウ素含有清浄剤のみ含む態様、ホウ素含有分散剤のみ含む態様、ホウ素含有清浄剤及びホウ素含有分散剤を共に含む態様のいずれも本発明の範囲内である。
【００２２】
（耐摩耗剤）
本形態に係る潤滑油組成物に使用し得る耐摩耗性や極圧性を付与する耐摩耗剤としては、ジチオリン酸亜鉛（ＺｎＤＴＰ）が挙げられる。ＺｎＤＴＰとしては、一般に、ジアルキルジチオリン酸亜鉛、ジアリールジチオリン酸亜鉛、アリールアルキルジチオリン酸亜鉛等が例示される。これらアルキル基は直鎖状でも分枝状でもよい。例えば、ジアルキルジチオリン酸亜鉛のアルキル基は、炭素数３〜２２の第１級又は第２級のアルキル基、炭素数３〜１８のアルキル基で置換されたアルキルアリール基を有するジアルキルジチオリン酸亜鉛が使用される。ジアルキルジチオリン酸亜鉛の具体例としては、ジプロピルジチオリン酸亜鉛、ジブチルジチオリン酸亜鉛、ジペンチルジチオリン酸亜鉛、ジヘキシルジチオリン酸亜鉛、ジイソペンチルジチオリン酸亜鉛、ジエチルヘキシルジチオリン酸亜鉛、ジオクチルジチオリン酸亜鉛、ジノニルジチオリン酸亜鉛、ジデシルジチオリン酸亜鉛、ジドデシルジチオリン酸亜鉛、ジプロピルフェニルジチオリン酸亜鉛、ジペンチルフェニルジチオリン酸亜鉛、ジプロピルメチルフェニルジチオリン酸亜鉛、ジノニルフェニルジチオリン酸亜鉛、ジドデシルフェニルジチオリン酸亜鉛、ジドデシルフェニルジチオリン酸亜鉛等が挙げられる。
【００２３】
（金属不活性剤）
本形態に係る潤滑油組成物に使用し得る金属不活性剤としては、ベンゾトリアゾール、アルキル−トルトリアゾール類等のベンゾトリアゾール誘導体、ベンゾイミダゾール類、トルイミダゾール類等のベンゾイミダゾール誘導体がある。また、トルインダゾール類等のインダゾール誘導体、ベンゾチアゾール類、トルゾチアゾール類等のベンゾチアゾール誘導体等が例示される。更に、ベンゾオキサゾール誘導体、チアジアゾール誘導体、トリアゾール誘導体等が挙げられる。
【００２４】
（酸化防止剤）
本形態に係る潤滑油組成物に使用し得る酸化防止剤としては、例えば、アミン系酸化防止剤、フェノール系酸化防止剤等が例示される。アミン系酸化防止剤としては、ｐ，ｐ’−ジオクチル−ジフェニルアミン（精工化学社製：ノンフレックスＯＤ−３）、ｐ，ｐ’−ジ−α−メチルベンジル−ジフェニルアミン、Ｎ−ｐ−ブチルフェニル−Ｎ−ｐ’−オクチルフェニルアミン等のジアルキル−ジフェニルアミン類、モノ−ｔ−ブチルジフェニルアミン、モノオクチルジフェニルアミン等のモノアルキルジフェニルアミン類、ジ（２，４−ジエチルフェニル）アミン、ジ（２−エチル−４−ノニルフェニル）アミン等のビス（ジアルキルフェニル）アミン類、オクチルフェニル−１−ナフチルアミン、Ｎ−ｔ−ドデシルフェニル−１−ナフチルアミン等のアルキルフェニル−１−ナフチルアミン類、１−ナフチルアミン、フェニル−１−ナフチルアミン、フェニル−２−ナフチルアミン、Ｎ−ヘキシルフェニル−２−ナフチルアミン、Ｎ−オクチルフェニル−２−ナフチルアミン等のアリール−ナフチルアミン類、Ｎ，Ｎ’−ジイソプロピル−ｐ−フェニレンジアミン、Ｎ，Ｎ’−ジフェニル−ｐ−フェニレンジアミン等のフェニレンジアミン類、フェノチアジン（保土谷化学社製：Ｐｈｅｎｏｔｈｉａｚｉｎｅ）、３，７−ジオクチルフェノチアジン等のフェノチアジン類等が挙げられる。フェノール系酸化防止剤としては、２−ｔ−ブチルフェノール、２−ｔ−ブチル−４−メチルフェノール、２−ｔ−ブチル−５−メチルフェノール、２，４−ジ−ｔ−ブチルフェノール、２，４−ジメチル−６−ｔ−ブチルフェノール、２−ｔ−ブチル−４−メトキシフェノール、３−ｔ−ブチル−４−メトキシフェノール、２，５−ジ−ｔ−ブチルヒドロキノン（川口化学社製：アンテージＤＢＨ）、２，６−ジ−ｔ−ブチルフェノール、２，６−ジ−ｔ−ブチル−４−メチルフェノール、２，６−ジ−ｔ−ブチル−４−エチルフェノール等の２，６−ジ−ｔ−ブチル−４−アルキルフェノール類、２，６−ジ−ｔ−ブチル−４−メトキシフェノール、２，６−ジ−ｔ−ブチル−４−エトキシフェノール等の２，６−ジ−ｔ−ブチル−４−アルコキシフェノール類がある。また、３，５−ジ−ｔ−ブチル−４−ヒドロキシベンジルメルカプト−オクチルアセテート、ｎ−オクタデシル−３−（３，５−ジ−ｔ−ブチル−４−ヒドロキシフェニル）プロピオネート（吉富製薬社製：ヨシノックスＳＳ）、ｎ−ドデシル−３−（３，５−ジ−ｔ−ブチル−４−ヒドロキシフェニル）プロピオネート、２’−エチルヘキシル−３−（３，５−ジ−ｔ−ブチル−４−ヒドロキシフェニル）プロピオネート、ベンゼンプロパン酸３，５−ビス（１，１−ジメチル−エチル）−４−ヒドロキシ−Ｃ７〜Ｃ９側鎖アルキルエステル（チバ・スペシャルティ・ケミカルズ社製：ＩｒｇａｎｏｘＬ１３５）等のアルキル−３−（３，５−ジ−ｔ−ブチル−４−ヒドロキシフェニル）プロピオネート類、２，６−ジ−ｔ−ブチル−α−ジメチルアミノ−ｐ−クレゾール、２，２’−メチレンビス（４−メチル−６−ｔ−ブチルフェノール）（川口化学社製：アンテージＷ−４００）、２，２’−メチレンビス（４−エチル−６−ｔ−ブチルフェノール）（川口化学��製：アンテージＷ−５００）等の２，２’−メチレンビス（４−アルキル−６−ｔ−ブチルフェノール）類がある。更に、４，４’−ブチリデンビス（３−メチル−６−ｔ−ブチルフェノール）（川口化学社製：アンテージＷ−３００）、４，４’−メチレンビス（２，６−ジ−ｔ−ブチルフェノール）（シェル・ジャパン社製：Ｉｏｎｏｘ２２０ＡＨ）、４，４’−ビス（２，６−ジ−ｔ−ブチルフェノール）、２，２−（ジ−ｐ−ヒドロキシフェニル）プロパン（シェル・ジャパン社製：ビスフェノールＡ）、２，２−ビス（３，５−ジ−ｔ−ブチル−４−ヒドロキシフェニル）プロパン、４，４’−シクロヘキシリデンビス（２，６−ｔ−ブチルフェノール）、ヘキサメチレングリコールビス［３−（３，５−ジ−ｔ−ブチル−４−ヒドロキシフェニル）プロピオネート］（チバ・スペシャルティ・ケミカルズ社製：ＩｒｇａｎｏｘＬ１０９）、トリエチレングリコールビス［３−（３−ｔ−ブチル−４−ヒドロキシ−５−メチルフェニル）プロピオネート］（吉富製薬社製：トミノックス９１７）、２，２’−チオ−［ジエチル−３−（３，５−ジ−ｔ−ブチル−４−ヒドロキシフェニル）プロピオネート］（チバ・スペシャルティ・ケミカルズ社製：ＩｒｇａｎｏｘＬ１１５）、３，９−ビス｛１，１−ジメチル−２−［３−（３−ｔ−ブチル−４−ヒドロキシ−５−メチルフェニル）プロピオニルオキシ］エチル｝２，４，８，１０−テトラオキサスピロ［５，５］ウンデカン（住友化学：スミライザーＧＡ８０）、４，４’−チオビス（３−メチル−６−ｔ−ブチルフェノール）（川口化学社製：アンテージＲＣ）、２，２’−チオビス（４，６−ジ−ｔ−ブチル−レゾルシン）等のビスフェノール類がある。そして、テトラキス［メチレン−３−（３，５−ジ−ｔ−ブチル−４−ヒドロキシフェニル）プロピオネート］メタン（チバ・スペシャルティ・ケミカルズ社製：ＩｒｇａｎｏｘＬ１０１）、１，１，３−トリス（２−メチル−４−ヒドロキシ−５−ｔ−ブチルフェニル）ブタン（吉富製薬社製：ヨシノックス９３０）、１，３，５−トリメチル−２，４，６−トリス（３，５−ジ−ｔ−ブチル−４−ヒドロキシベンジル）ベンゼン（シェル・ジャパン社製：Ｉｏｎｏｘ３３０）、ビス−［３，３’−ビス−（４’−ヒドロキシ−３’−ｔ−ブチルフェニル）ブチリックアシッド］グリコールエステル、２−（３’，５’−ジ−ｔ−ブチル−４−ヒドロキシフェニル）メチル−４−（２”，４”−ジ−ｔ−ブチル−３”−ヒドロキシフェニル）メチル−６−ｔ−ブチルフェノール、２，６−ビス（２’−ヒドロキシ−３’−ｔ−ブチル−５’−メチル−ベンジル）−４−メチルフェノール等のポリフェノール類、ｐ−ｔ−ブチルフェノールとホルムアルデヒドの縮合体、ｐ−ｔ−ブチルフェノールとアセトアルデヒドの縮合体等のフェノールアルデヒド縮合体等が挙げられる。
【００２５】
（粘度指数向上剤）
本形態に係る潤滑油組成物は、櫛形ポリメタクリレート系粘度指数向上剤を含む。櫛形ポリマーとは、ポリマー主鎖に対して複数の伸長した側鎖を櫛状に有するポリマーを表す。本形態に係る粘度指数向上剤は、これらの櫛形ポリマーの中で、櫛形ポリメタクリレート系のポリマーを粘度指数向上剤として含む。なお、本発明において、「粘度指数向上剤」とは、重量平均分子量が５万以上となるポリマーを示す。
【００２６】
本形態に係る櫛形ポリメタクリレート系粘度指数向上剤は、例えば、特開２０１０−５３２８０５に記載されたポリマー等を適宜用いればよい。
【００２７】
また、本形態に係る櫛形ポリメタクリレート系粘度指数向上剤は、重量平均分子量が２０〜６０万であることが好適であり、２５〜５０万であることがさらに好適であり、３０〜４５万であることがもっとも好適である。また、ＰＳＳＩ（パーマネントシアスタビリティインデックス）が１０以下であることが好適である。
【００２８】
このような櫛形ポリメタクリレート系粘度指数向上剤の具体例としては、Ｖｉｓｃｏｐｌｅｘ３−２０１（登録商標）、Ｖｉｓｃｏｐｌｅｘ３−２２０（登録商標）等を例示できる。
【００２９】
また、本形態に係る潤滑油組成物は、櫛形ポリメタクリレート系粘度指数向上剤以外の粘度指数向上剤を含有してもよい。このような粘度指数向上剤の一例としては、非櫛形ＰＭＡ（ポリメタクリレート）、ＯＣＰ（オレフィンコポリマー）及びＳＣＰ（スチレンジエンコポリマー）からなる群より選択される１種以上のポリマーが挙げられる。
【００３０】
非櫛形ＰＭＡ（ポリメタクリレート）系粘度指数向上剤としては、特に限定されず公知のものを使用可能であるが、重量平均分子量が１０万〜４０万であることが好適である。なお、このようなＰＭＡとしては、具体的には、特開２０１４−１２５５６９に記載されたもの等を例示できる。
【００３１】
ＯＣＰ（オレフィンコポリマー）系粘度指数向上剤としては、特に限定されず公知のものを使用可能であるが、重量平均分子量が５万〜３０万であることが好適である。なお、このようなＯＣＰとしては、具体的には、特開２０１４−１２５５６９に記載されたもの等を例示できる。
【００３２】
ＳＣＰ（スチレンジエンコポリマー）系粘度指数向上剤としては、特に限定されず公知のものを使用可能であるが、重量平均分子量が２０万〜１００万であることが好適である。このようなＳＣＰとしては、具体的には、Ｉｎｆｉｎｅｕｍ（登録商標）  ＳＶ１５０等を例示できる。
【００３３】
なお、本形態に係る潤滑油組成物は、粘度指数向上剤として、櫛形ポリメタクリレート以外の櫛形ポリマーを含有していてもよい。
【００３４】
なお、このような粘度指数向上剤（重量平均分子量が５万以上となるポリマー）は、一般に取扱いを容易にするため、適宜の液体媒体に希釈された状態で配合される。
【００３５】
（消泡剤）
本形態に係る潤滑油組成物に使用し得る消泡剤としては、例えば、ジメチルポリシロキサン、ジエチルシリケート、フルオロシリコーン等のオルガノシリケート類、ポリアルキルアクリレート等の非シリコーン系消泡剤が例示される。
【００３６】
≪組成≫
（基油の量）
基油の含有量は、潤滑油組成物の全質量を基準として、６０〜９０質量％であることが好適であり、６５〜９０質量％であることがより好適であり、７０〜８５質量％の範囲であることが更に好適である。
【００３７】
（粘度指数向上剤の含有量）
粘度指数向上剤の含有量（全体の粘度指数向上剤含有量）は、特に限定されず、適宜変更可能であり、例えば、潤滑油組成物の全質量を基準として、０．０５〜２０質量％等とすればよい。以下、各粘度指数向上剤の好適な含有量について詳述する。
【００３８】
・櫛形ＰＭＡ
櫛形ＰＭＡの含有量は、特に限定されないが、潤滑油組成物の全質量を基準として、潤滑油組成物の全質量を基準として、１．０〜６．０質量％であることが好適であり、１.０〜５．０質量％であることがより好適であり、１．０〜４．０質量％の範囲であることが更に好適である。
【００３９】
・非櫛形ＰＭＡ
非櫛形ＰＭＡの含有量は、非櫛形ＰＭＡ含有量／全体の粘度指数向上剤含有量が、０．７以下であることが好適である。
【００４０】
・ＯＣＰ
ＯＣＰの含有量は、ＯＣＰ含有量／全体の粘度指数向上剤含有量が、０．２以下であることが好適である。
【００４１】
・ＳＣＰ
ＳＣＰの含有量は、ＳＣＰ含有量／全体の粘度指数向上剤含有量が、０．３以下であることが好適である。
【００４２】
粘度指数向上剤として、非櫛形ＰＭＡ（ポリメタクリレート）、ＳＣＰ（スチレンジエンコポリマー）及び／又はＯＣＰ（オレフィンコポリマー）を含み、且つ、これらが上記の範囲の少なくとも１つ（好適には、その全て）を満たす場合、本発明の系において、本発明の効果を奏しつつも、製造コストを低減させること等が可能となる。
【００４３】
（ホウ素含有清浄剤及びホウ素含有分散剤）
ホウ素含有清浄剤及びホウ素含有分散剤の含有量は、所望の効果を得るために、ホウ素含有換算値（合計値）で組成物全量に対して０．０２５質量％以上とする必要がある。なお、上限値は特に限定されないが、例えば、０．１質量％以下（好適には、０．０５０質量％以下）等とすればよい。
【００４４】
（潤滑油組成物における他の成分の量）
本形態に係る潤滑油組成物に添加してもよい他の成分の好適添加量について説明する。まず、酸化防止剤の好適添加量は、単独又は複数組み合わせて、潤滑油組成物の全質量を基準として、０．０１〜２質量％の範囲である。金属不活性剤の好適添加量は、単独又は複数組み合わせて、潤滑油組成物の全質量を基準として、０．０１〜０．５質量％の範囲である。耐摩耗剤（例えばＺｎＤＴＰ）の好適添加量は、単独又は複数組み合わせて、潤滑油組成物の全質量を基準にリン（Ｐ）量として、例えば、０．０１〜０．１０質量％、より好ましくは０．０５〜０．０８質量％の範囲である。消泡剤の好適添加量は、単独又は複数組み合わせて、潤滑油組成物の全質量を基準として、例えば、０．０００１〜０．０１質量％の範囲である。金属系清浄剤の好適添加量は、単独又は複数組み合わせて、潤滑油組成物の全質量を基準として、例えば、金属量で０．０５〜０．３質量％、より好ましくは０．１〜０．２質量％である。無灰分散剤の好適添加量は、単独又は複数組み合わせて、潤滑油組成物の全質量を基準として、例えば、０.０１〜０.３質量％の窒素を提供する程度の量である。
【００４５】
≪物性≫
（Ｃａｐｉｌｌａｒｙ粘度／ＴＢＳ粘度）
ここで、１００℃でのＨＴＨＳ粘度と燃費特性には優れた相関があると考えられている。また、ＨＴＨＳ粘度の測定法にも様々存在する。中でも、使用する粘度指数向上剤の種類により、Ｃａｐｉｌｌａｒｙ法で測定したＨＴＨＳ粘度とＴＢＳ法で測定した粘度で得られる粘度が異なる場合がある。そのような中で、以下の式１は値が大きいほど毛細管式粘度計を用いる方法（Ｃａｐｉｌｌａｒｙ）で測定した粘度の方が大きく、回転粘度計を用いて測定（ＴＢＳ）した粘度の方が小さく、その差が大きくなることを表す。その場合、クランクシャフト-ベアリング間のような回転粘度計に近い状態で摺動する部分で、オイルのせん断粘度が小さくなることを表す。つまり上記部位で粘性抵抗を低減し摩擦損失を低下することが可能と考えられる。一方、毛細管粘度計に近い状態でオイルがせん断を受ける部位では、高いせん断粘度を維持し十分な耐久性を維持することができる。
【００４６】
（Ｃａｐｉｌｌａｒｙ粘度−ＴＢＳ粘度）／ＴＢＳ粘度      （式１）
【００４７】
本形態に係る潤滑油組成物においては、［（Ｃａｐｉｌｌａｒｙ粘度−ＴＢＳ粘度）／ＴＢＳ粘度］が０．０７〜０．１５を満たし、それと相関して低燃費性を実現することが見出された。
【００４８】
ここで、Ｃａｐｉｌｌａｒｙ粘度の測定方法は、ＡＳＴＭ  Ｄ５４８１試験法（１５０℃）に準拠し、その温度条件を１００℃として測定（せん断速度は１．０＊１０＾６Ｓ−１）された値である。
【００４９】
また、ＴＢＳ粘度の測定方法は、特許５５６５９９９号公報に記載された方法によって測定された値である。
【実施例】
【００５０】
次に、本発明を実施例及び比較例により、更に詳細に説明するが、本発明は、これらの例によって何ら限定されるものではない。
【００５１】
≪原料≫  本実施例に用いられた原料は、以下の通りである。なお、各基油の性状は、表１に示す。（基油）基油−１：ＸＨＶＩ４（ＧＴＬ油）基油−２：ＸＨＶＩ８（ＧＴＬ油）基油−３：ＸＨＶＩ３（ＧＴＬ油）基油−４：Ｙｕｂａｓｅ４（鉱物油）基油−５：Ｙｕｂａｓｅ８（鉱物油）基油−６：Ｙｕｂａｓｅ３（鉱物油）（添加剤パッケージ）ＤＨ−２  ＤＩパッケージ−１：表に示すように、本実施例においては、１４．００％添加時、潤滑油のホウ素含有量０．０３３ｍａｓｓ％となる｛ホウ素含分散剤（ホウ酸カルシウムアルキルトルエンスルホネート）及びホウ素含有清浄剤（ホウ素化コハク酸エステル系分散剤）を含み、その他添加剤量はＤＩパッケージ−２、３と同等｝ＤＨ−２  ＤＩパッケージ−２：表に示すように、本実施例においては、１４．００％添加時、潤滑油のホウ素含有量０．０２７ｍａｓｓ％となる｛ホウ素含分散剤（ホウ酸カルシウムアルキルトルエンスルホネート）及びホウ素含有清浄剤（ホウ素化コハク酸エステル系分散剤）を含み、その他添加剤量はＤＩパッケージ−１、３と同等｝ＤＨ−２  ＤＩパッケージ−３：表に示すように、本実施例においては、１４．００％添加時、潤滑油のホウ素含有量０．０２０ｍａｓｓ％となる｛ホウ素含分散剤（ホウ酸カルシウムアルキルトルエンスルホネート）及びホウ素含有清浄剤（ホウ素化コハク酸エステル系分散剤）を含み、その他添加剤量はＤＩパッケージ−１、２と同等｝（粘度指数向上剤）粘度指数向上剤溶液−１：Ｖｉｓｃｏｐｌｅｘ３−２２０（櫛形ＰＭＡ系粘度指数向上剤）を含む溶液（約４０％希釈）粘度指数向上剤溶液−２：Ｖｉｓｃｏｐｌｅｘ３−２０１（櫛形ＰＭＡ系粘度指数向上剤）を含む溶液（約６０％希釈）粘度指数向上剤溶液−３：Ｖｉｓｃｏｐｌｅｘ６−９５４（非櫛形ＰＭＡ系粘度指数向上剤）を含む溶液（約４０％希釈）粘度指数向上剤溶液−４：Ｌｚ７１７７Ｂ（オレフィンコポリマー系粘度指数向上剤）を含む溶液（約８７．５％希釈）粘度指数向上剤溶液−５：Ｉｎｆｉｎｅｕｍ（登録商標）  ＳＶ１５０（スチレンジエンコポリマー系粘度指数向上剤）を含む溶液（約９３．５％希釈）（消泡剤）ＤＣＦ  ３ｍａｓｓ％溶液
【００５２】
【表１】
0006677511.tif 000002
【００５３】
前記の原料を表２及び表３に示す配合とし、本実施例１〜８及び比較例１〜１０に係る潤滑油組成物を得た。
【００５４】
≪評価≫
次に、実施例１〜８及び比較例１〜１０に係る潤滑油組成物に関して、評価試験を行った。なお、実施例に係る潤滑油組成物に関しては、全て、５Ｗ−３０を満たすことが確認された。
【００５５】
（燃費特性）
日本国内メーカー製造の４０００ｃｃのディーゼルエンジンを用いた台上燃費試験に基づき、燃費特性の評価を行った。運転条件は国土交通省１０・１５モードを参考にして設定した。測定時のギャラリー温度は９０℃に設定した。なお、表２及び表３に示す結果はＳＡＥ粘度グレードで１０Ｗ−３０に分類される市販ディーゼルエンジン油を基準としたときの燃費改善率（％）を示したものである。本評価においては、燃費改善率（％）が１．０以上の場合、燃費特性を○とした。
【００５６】
（蒸発性）
ＡＳＴＭ  Ｄ５８００に基づいて、Ｎｏａｃｋ揮発性（％）を測定した。本評価においては、Ｎｏａｃｋ揮発性（％）が１３．０以下の場合に、蒸発性を○とした。
【００５７】
（清浄性）
日本石油学会規格ＪＰＩ−５Ｓ−５５−９９「エンジン油−ホットチューブ試験法」に準拠して、ホットチューブ試験を実施した。試験条件は、試験温度２９０℃／３００℃、試験時間１６時間、試料油送り速度０．３ｍｌ／時間、空気流量１０ｍｌ／時間に設定し、試験終了後のガラスチューブ変色部の色相評価（メリット評点）が７．０点以上の場合に、清浄性を○とした。
【００５８】
（［（Ｃａｐｉｌｌａｒｙ粘度−ＴＢＳ粘度）／ＴＢＳ粘度］）
前述した方法に従って、［（Ｃａｐｉｌｌａｒｙ粘度−ＴＢＳ粘度）／ＴＢＳ粘度］を算出した。
【００５９】
更に、各実施例及び比較例における、動粘度（４０℃）、動粘度（１００℃）、粘度指数（ＶＩ）、ホウ素分量（計算値）、カルシウム分量（計算値）、リン分量（計算値）、亜鉛分量（計算値）、窒素分量（計算値）、モリブテン分量（計算値）を算出した（なお、Ｂａｓｅ  ｓｔｏｃｋ  Ｖｋ１００℃は、混合基油の１００℃動粘度である）。
【００６０】
【表２】
0006677511.tif 000003
【００６１】
【表３】
0006677511.tif 000004